(57)【要約】      （修正有）【課題】洗浄性が良く、また、レバー操作に個人差があっても、液状材の吐出量を略一定とすることができるとともに、液状材を圧送（加圧供給）することができるディスペンサーを提供する。【解決手段】液状材を吐出させるディスペンサーであって、レバー３と、前記レバー３の操作によって一定時間だけボタン３０Ａを押圧する押圧機構２０と、前記押圧機構２０によって前記ボタン３０Ａが押圧されている時間だけ気体の供給を行う２方弁３０と、前記２方弁３０からの気体の供給によって所定の時間だけ動作する可動体４３を有するエアタイマー機構４０と、前記エアタイマー機構４０の前記可動体４３に連結されたニードル５０と、前記ニードル５０の前記可動体４３の動作に応じて前記液状材を吐出させる開口７１を開放させるノズル部７０と、を備える。【選択図】図３
2015102172.tif 000002
【特許請求の範囲】
【請求項１】
液状材を吐出させるディスペンサーであって、
スイッチ手段と、
前記スイッチ手段の操作によって一定時間だけボタンを押圧する押圧機構と、
前記押圧機構によって前記ボタンが押圧されている時間だけ気体の供給を行う２方弁と、
前記２方弁からの気体の供給によって所定の時間だけ動作する可動体を有するエアタイマー機構と、
前記エアタイマー機構の前記可動体に連結されたニードルと、
前記ニードルの前記可動体の動作に応じて前記液状材を吐出させる開口を開放させるノズル部と、
を備えることを特徴とするディスペンサー。
【請求項２】
前記押圧機構が、前記スイッチ手段の操作および操作解除に応じて動作する３方弁と、前記３方弁と第１流路を介して接続される第１ピストン機構と、を備え、
前記３方弁が、前記スイッチ手段の操作の際に前記第１流路を通して気体を前記第１ピストン機構に供給し、前記スイッチ手段の操作解除の際に前記第１流路を通して前記第１ピストン機構内の気体を開放するように形成され、
前記第１ピストン機構が、シリンダーと、前記シリンダー内を第１室および第２室に画するとともに前記第１室側に付勢されるピストンと、前記ピストンに接続され前記第２室から突出するプランジャと、を備え、
前記ボタンが前記第１ピストン機構の前記第１室に気体が前記第１流路を通して供給されることによって移動する前記プランジャによって押圧されるように形成され、
第１室と第２室を連通させるオリフィスが前記ピストンに形成されている、
ことを特徴とする請求項１に記載のディスペンサー。
【請求項３】
前記スイッチ手段が手動式のレバーまたは引金であることを特徴とする請求項１又は２に記載のディスペンサー。
【請求項４】
前記エアタイマー機構が、前記ボタンの押圧によって気体が供給される第２流路と、前記第２流路に接続される第２ピストン機構と、を備え、
前記第２ピストン機構が、シリンダーと、前記シリンダー内を第１室および前記第２流路が接続される第２室に画するとともに前記第２室側に付勢される前記可動体であるピストンと、を備え、
前記ニードルが前記ピストンの前記第２室側への付勢によって前記ノズル部の前記開口を閉塞し、前記ニードルが前記第２室への前記第２流路からの気体の供給によって前記ノズル部の前記開口を開口するように構成され、
前記第２流路が、その途中において、気体放出部を備える、
ことを特徴とする請求項１ないし３いずれか１項に記載のディスペンサー。
【請求項５】
前記気体放出部がオリフィスと同軸に配置されたニードル弁を有し、前記ニードル弁の軸方向への移動調整によって前記オリフィスの開口径を調整することを特徴とする請求項４に記載のディスペンサー。
【請求項６】
前記ノズル部が、前記ノズル部内に液状材を供給する液状材供給口を備え、前記液状材供給口から洗浄用流体を供給することで前記ノズル部に残留する液状材を洗い流すことができることを特徴とする請求項１ないし５のいずれか１項に記載のディスペンサー。
【請求項７】
前記液状材が圧送状態で供給されることを特徴とする請求項１ないし６のいずれか１項に記載のディスペンサー。
【発明の詳細な説明】
【技術分野】
【０００１】
本発明はディスペンサーに関し、特に、レバー操作によって液状材を吐出させるディスペンサーに関する。
【背景技術】
【０００２】
このようなディスペンサーは、たとえばケチャップ、マヨネーズ等の調味料（液状材）を食品に定量注入あるいは定量塗布する場合に用いられ、手持ち式ガン構造となっている。
【０００３】
たとえば下記特許文献１に開示されたディスペンサー（定量吐出ガン）は、その先端にシリンダーを有し、吐出ノズル、ピストン、およびシリンダー内に逆止弁が配置され、ピストンの下降時に液状材の吐出および吸引を同時に行い、上昇時にシリンダー内で液状材の移送を行う機構が備えられ、ガン本体部の長さを伸縮してピストンのストロークを可変して液状材の吐出量の調整を行うとともに、シリンダー内のピストンの作動をレバー操作による圧縮空気で行うようにしたものとなっている。
【０００４】
このような構造からなるディスペンサーは、液状材の吐出量が定量とされているため、吐出量に関しては、比較的精度が高い。
しかしながら、それを実現するために、液状材の流路に複雑な構造が存在し、例えば、食品にかかわる液状材などのように、清潔さが求められ、洗浄の機会が多いような場合、単に洗浄液を液状材の流路に通しても、複雑な構造部分に液状材が残留しやすく、結果、きれいに洗浄を行うためには、分解洗浄を行うことになる場合が多い。このため、洗浄作業性が良くないという問題がある。
また、特許文献１に記載された構造では、液状材の吐出方向と逆流する方向には逆止弁によって液状材の逆流が防止されるが、液状材の吐出方向には、液状材が流出しやすい構造であるため、液状材をディスペンサーに圧送（加圧供給）するには液状材が洩れ出る恐れがあるため不適であった。
一方、レバーを操作している（握っている）間、液状材が吐出し、レバー操作をやめれば、液状材が停止するような構成とすることを考えれば、液状材の吐出口を開閉させるだけであるので、液状材の流路を比較的シンプルな構成で実現できると考えられる。
ところが、この場合には、レバーを操作している（握っている）間、ずっと液状材が吐出することになるので、レバー操作の個人差（長く握る人と、そうでない人）で液状材の吐出量が変ってしまうという問題がある。
【先行技術文献】
【特許文献】
【０００５】
【特許文献１】特開平９−１０６４９号公報
【発明の概要】
【発明が解決しようとする課題】
【０００６】
本発明は、このような事情に鑑みてなされたものであり、その目的は、洗浄性が良く、また、レバー操作に個人差があっても、液状材の吐出量を略一定とすることができるとともに、液状材を圧送（加圧供給）することができるディスペンサーを提供することにある。
【課題を解決するための手段】
【０００７】
本発明は、以下の構成によって把握される。
（１）本発明のディスペンサーは、液状材を吐出させるディスペンサーであって、スイッチ手段と、前記スイッチ手段の操作によって一定時間だけボタンを押圧する押圧機構と、前記押圧機構によって前記ボタンが押圧されている時間だけ気体の供給を行う２方弁と、前記２方弁からの気体の供給によって所定の時間だけ動作する可動体を有するエアタイマー機構と、前記エアタイマー機構の前記可動体に連結されたニードルと、前記ニードルの前記可動体の動作に応じて前記液状材を吐出させる開口を開放させるノズル部と、を備えることを特徴とする。
（２）本発明のディスペンサーは、（１）の構成において、前記押圧機構が、前記スイッチ手段の操作および操作解除に応じて動作する３方弁と、前記３方弁と第１流路を介して接続される第１ピストン機構と、を備え、前記３方弁が、前記スイッチ手段の操作の際に前記第１流路を通して気体を前記第１ピストン機構に供給し、前記スイッチ手段の操作解除の際に前記第１流路を通して前記第１ピストン機構内の気体を開放するように形成され、前記第１ピストン機構が、シリンダーと、前記シリンダー内を第１室および第２室に画するとともに前記第１室側に付勢されるピストンと、前記ピストンに接続され前記第２室から突出するプランジャと、を備え、前記ボタンが前記第１ピストン機構の前記第１室に気体が前記第１流路を通して供給されることによって移動する前記プランジャによって押圧されるように形成され、第１室と第２室を連通させるオリフィスが前記ピストンに形成されている、ことを特徴とする。
（３）本発明のディスペンサーは、（１）又は（２）の構成において、前記スイッチ手段が手動式のレバーまたは引金であることを特徴とする。
（４）本発明のディスペンサーは、（１）ないし（３）のいずれかの構成において、前記エアタイマー機構が、前記ボタンの押圧によって気体が供給される第２流路と、前記第２流路に接続される第２ピストン機構と、を備え、前記第２ピストン機構が、シリンダーと、前記シリンダー内を第１室および前記第２流路が接続される第２室に画するとともに前記第２室側に付勢される前記可動体であるピストンと、を備え、前記ニードルが前記ピストンの前記第２室側への付勢によって前記ノズル部の前記開口を閉塞し、前記ニードルが前記第２室への前記第２流路からの気体の供給によって前記ノズル部の前記開口を開口するように構成され、前記第２流路が、その途中において、気体放出部を備える、ことを特徴とする。
（５）本発明のディスペンサーは、（４）の構成において、前記気体放出部がオリフィスと同軸に配置されたニードル弁を有し、前記ニードル弁の軸方向への移動調整によって前記オリフィスの開口径を調整することを特徴とする。
（６）本発明のディスペンサーは、（１）ないし（５）のいずれかの構成において、前記ノズル部が、前記ノズル部内に液状材を供給する液状材供給口を備え、前記液状材供給口から洗浄用流体を供給することで前記ノズル部に残留する液状材を洗い流すことができることを特徴とする。
（７）本発明のディスペンサーは、（１）ないし（６）のいずれかの構成において、前記液状材が圧送状態で供給されることを特徴とする。
【発明の効果】
【０００８】
本発明によるディスペンサーによれば、洗浄性が良く、また、レバー操作に個人差があっても、液状材の吐出量を略一定とすることができるとともに、液状材を圧送（加圧供給）することができるディスペンサーを提供することができる。
【図面の簡単な説明】
【０００９】
【図１】本発明のディスペンサーの実施形態１を示す構成図であり、（ａ）は側面から観た断面図、（ｂ）は下方から観た一部破断図である。
【図２】本発明のディスペンサーの側面図である。
【図３】本発明のディスペンサーの構成を模式的に描いた図である。
【図４】（ａ）ないし（ｄ）は本発明のディスペンサーに備えられる押圧機構の動作図である。
【図５】本発明のディスペンサーに備えられる気体放出部の構成を示す断面図である。
【図６】（ａ）ないし（ｃ）は本発明のエアタイマー機構に備えられる押圧機構の動作図である。
【発明を実施するための形態】
【００１０】
以下、添付図面を参照して、本発明を実施するための形態（以下、実施形態）について詳細に説明する。なお、実施形態の説明の全体を通して同じ要素には同じ番号を付している。
（実施形態１）
【００１１】
以下では、主に図１及び図２を参照しながら実施形態１についての概略構成を説明し、その後、図３から図６を参照しながら、実施形態１のより詳細な説明を行う。
図１は、本発明のディスペンサーの実施形態１を示す構成図で、（ａ）は側面から観た断面図、（ｂ）は下方から観た一部破断図である。
【００１２】
図１（ａ）に示すように、ディスペンサー１は、そのガン本体２の先端部（図中左側）に液状材を吐出させるノズル部７０を有し、ガン本体２の後端部（図中右側）にノズル部７０からの液状材の吐出を始動させるレバー３を備えている。
【００１３】
レバー３は、たとえば、ガン本体２の後端部に軸支され、ガン本体２に対して所定の角度θで先端側に延在する揺動レバーからなっている。レバー３は、このレバー３ごとガン本体２の後端部を握った手に力を入れることで当該角度θを小さくする方向に揺動でき、操作できるようになっている。レバー３の操作は該レバー３の直下においてガン本体２に内蔵される３方弁１０を動作させるようになっている。
【００１４】
また、ガン本体２の後端部には気体供給口１１が設けられ、この気体供給口１１を通して気体が供給されるようになっている。気体供給口１１からの気体は３方弁１０を通して押圧機構２０に供給されるようになっている。押圧機構２０は、ガン本体２内において３方弁１０に隣接されて配置され、レバー３の操作が一定時間（たとえば、０．５秒）を超えて操作されたとしても、図示しないボタン（図３において符号３０Ａで示す）は、一定時間（たとえば、０．５秒）以上、押圧されないように構成されている。つまり、レバー３の操作が一定時間（たとえば、０．５秒）以上行われたとしても、押圧機構２０が一定時間（たとえば、０．５秒）でボタン３０Ａの押圧状態を解除するように構成されている。なお、この押圧機構２０が一定時間でボタン３０Ａの押圧状態を解除する具体的な構成については、後ほど詳細に説明する。そして、レバー３の操作を０．５秒以内にやめる人はほとんどいないと考えられるので、レバー３の操作時間の個人差よらず、ボタン３０Ａが押圧されている時間は一定時間（たとえば、０．５秒）となるようになっている。
【００１５】
この押圧機構２０は、後に詳述するように、３方弁１０と図示しない第１流路（図３にて第２気体流路管１３として示す）を介して接続される第１ピストン機構によって構成されている。レバー３が操作されたときは、気体供給口１１からの気体が３方弁１０、第１流路を通して第１ピストン機構に供給され、摺動するピストンに連結されたプランジャによって前述のボタン３０Ａを押圧するようになっている。
【００１６】
また、ボタン３０Ａは、該ボタン３０Ａが押圧機構２０によって押圧されている時間だけ２方弁３０を動作させるようになっている。２方弁３０の上述した動作は、気体供給口１１から第２流路（図３の第４気体流路管１５、第５気体流路管１６である。）を通して供給される気体をエアタイマー機構４０側に供給させるようになっている。なお、図２は、ディスペンサー１の側面図を示し、図１（ａ）では省略して示した第４気体流路管１５を示している。第４気体流路管１５は、気体供給口１１と前記２方弁３０を接続する流路管となっている。
【００１７】
エアタイマー機構４０は、２方弁３０に対してガン本体２の先端側に内蔵され、第２流路（図３の第４気体流路管１５、第５気体流路管１６である。）からの気体の供給によって動作するピストン（可動体）を有する第２ピストン機構と、第５気体流路管１６の途中に設けられた気体放出部６０によって構成されている。より詳細なエアタイマー機構４０についての説明は後ほど行うが、前述のボタン３０Ａが押圧されることによって、エアタイマー機構４０内に気体が供給され、この気体によりエアタイマー機構４０内の圧力が高められることにより、エアタイマー機構４０のピストン（可動体）４３が動作し、気体放出部６０からエアタイマー機構４０内の気体が放出され、元の圧力に戻るとエアタイマー機構４０のピストン（可動体）４３の動作が終了するように構成されている。ここで、エアタイマー機構４０への気体の充填時間が、たとえば、０．５秒もあれば、エアタイマー機構４０内は、十分に安定した気体充填状態（飽和充填状態）になっていると考えられる。なお、この飽和とは、容積と気体の供給圧力とでこれ以上充填できないことを意味する飽和ではなく、気体放出部６０から気体が放出される等の要因を含めて、毎回、同程度の安定した気体充填状態になっているという意味である。このことから、気体の供給が停止後、エアタイマー機構４０によって、エアタイマー機構４０のピストン（可動体）が、どの程度の時間、可動状態に保たれるのか、つまり、エアタイマー機構４０のピストン（可動体）４３の動作時間がどれぐらいの時間になるのかは、エアタイマー機構４０内に充填された気体が気体放出部６０から放出され、動作前の圧力の状態となるまでの時間に依存する。それ故、エアタイマー機構４０のピストン（可動体）４３の動作時間は気体放出部６０の気体の放出速度によって決定される。後述するように、第５気体流路管１６の途中に設けられた気体放出部６０のニードル軸６２を回動することで気体の放出量（放出速度）が調節できるとともに、所定の放出速度となるように調節した後にニードル軸６２を固定して回転させなければ、毎回、ほぼ一定の放出速度に保たれるので、この結果、エアタイマー機構４０のピストン（可動体）４３の動作時間も、毎回、ほぼ同じ時間に保たれる。
【００１８】
エアタイマー機構４０のピストン（可動体）４３にはニードル５０が連結され、ニードル５０はノズル部７０の中心軸上に配置されるようになっている。ノズル部７０は、ガン本体２の先端部に取り付けられ、該ノズル部７０の内部にはガン本体２の側面に取り付けられた液状材供給口７３から液状材が圧送状態で供給されるようになっている。ノズル部７０の先端には開口７１が形成され、この開口７１は、ニードル５０の前記ピストン（可動体）４３に連動する軸方向の移動によって、開放および閉塞がなされるようになっている。ノズル部７０の開口７１が解放された場合、該開口７１を通して液状材がノズル部７０から吐出するようになっている。
【００１９】
ここで、押圧機構２０がボタン３０Ａを押圧し始めると、ほぼ瞬時にエアタイマー機構４０のピストン（可動体）４３がニードル５０をノズル部７０の先端の開口７１を開口させる側に移動させるため、押圧機構２０がボタン３０Ａを押圧し始めるとノズル部７０からの液状材の吐出が始まる。そして、ボタン３０Ａの押圧が解除されると、エアタイマー機構４０への気体の供給が停止する。したがって、この時点から、エアタイマー機構４０は、気体放出部６０から気体が放出されるだけとなり、エアタイマー機構４０によるピストン（可動体）４３の動作時間のカウントが始まる。この動作時間が終了すると、エアタイマー機構４０によるピストン（可動体）４３は、可動前の状態に戻るのでニードル５０がノズル部７０の先端の開口７１を閉塞する位置に戻り、ノズル部７０からの液状材の吐出が止まる。このことから、ノズル部７０からの液状材の吐出時間は、押圧機構２０のボタン３０Ａの押圧時間にエアタイマー機構４０のピストン（可動体）４３の動作時間を加算した時間となる。したがって、ボタン３０Ａの押圧時間が一定で、エアタイマー機構４０のピストン（可動体）４３の動作時間が一定であれば、ノズル部７０から一定の時間だけ液状材を吐出させることになり、液状材の吐出量も一定になる。押圧時間と動作時間を一定とするために、どのような構成になっているのかについては、以下で詳細に説明するが、既に、概略説明した通り、レバー３の操作によらず、押圧時間が一定に制御され、動作時間も一定となるようにされているので、レバー３の操作に個人差があっても、液状材の吐出量を略一定にすることができる。
【００２０】
以下、順次、押圧機構、及び、エアタイマー機構の具体的な構成例について詳細に説明する。
（押圧機構）
図３は、ディスペンサー１に具備される３方弁１０、押圧機構２０、ボタン３０Ａ、２方弁３０、エアタイマー機構４０、ニードル５０、およびノズル部７０と、３方弁１０、押圧機構２０、２方弁３０、およびエアタイマー機構４０を接続する気体流路管１２〜１６を示した模式図である。
【００２１】
図３において、図１ないし図２に示した部材と同一の部材は同符号を付して示している。図３に示すように、まず、３方弁１０がある。この３方弁１０には、気体供給口１１から気体が供給される第１気体流路管１２と、第１気体流路管１２からの気体を押圧機構２０に供給する第２気体流路管１３（第１流路）と、押圧機構２０からの気体を３方弁１０を通して排出する第３気体流路管１４と、が接続されている。
【００２２】
３方弁１０は、レバー３の操作によって切替られるようになっており、レバー３の握りの操作によって気体が第１気体流路管１２、３方弁１０、第２気体流路管１３を通して押圧機構２０に供給され、レバー３の握りの緩和（レバー操作の解除）によって押圧機構２０に供給された気体を第２気体流路管１３、３方弁１０、第３気体流路管１４を通して排出するようになっている。
【００２３】
押圧機構２０は、たとえばピストン機構（第１ピストン機構）２０Ａからなり、該ピストン機構２０Ａは、シリンダー２１と、シリンダー２１内を第１室２２Ａおよび第２室２２Ｂに画するとともに第１室側２２Ａに付勢されるピストン２３と、ピストン２３に接続し第２室２２Ｂを通ってシリンダー２１の外方へ突出するプランジャ２４と、を備えて構成されている。第２気体流路管１３は第１室２２Ａに接続されるようになっている。ピストン２３の第１室２２Ａ側への付勢は、たとえば、プランジャ２４を挿入してピストン２３とシリンダー２１の端壁面の間に配置されるコイルバネ２５によってなされている。また、ピストンのシリンダー２１の内壁面との摺動部、シリンダー２１の端壁面とプランジャ２４との摺動部にはＯ−リング２６が取り付けられている。そして、ピストン２３には、第１室２２Ａと第２室２２Ｂを連通させるオリフィス２７が形成されている。図３の場合、たとえば、ピストン２３とプランジャ２４は別体で形成され、オリフィス２７は、ピストン２３のほぼ中央に形成した貫通孔２７Ａがプランジャ２４の該ピストン２３との接合部の一部に形成した溝２７Ｂに連結されることによって形成されている。
【００２４】
図４（ａ）ないし（ｄ）は、押圧機構２０の動作を示す動作図である。まず、レバー３（図１参照）の操作によって、図４（ａ）に示すように、気体供給口１１からの気体は第１気体流路管１２、３方弁１０、第２気体流路管１３を通して、押圧機構２０の第１室２２Ａに供給されるようになる。次に、図４（ｂ）に示すように、第１室２２Ａの気圧が第２室２２Ｂの気圧より急激に大きくなることにより、コイルバネ２５の付勢力に抗しピストン２３は第２室２２Ｂ側へ摺動する。これにより、プランジャ２４は２方弁３０のボタン３０Ａを押圧するようになる。次に、図４（ｃ）に示すように、気体が第１室２２Ａに供給され続けることにより、第１室２２Ａの気体はピストン２３に形成されたオリフィス２７を通して第２室２２Ｂへ流出するようになる。これにより、第１室２２Ａの圧力と第２室２２Ｂの圧力とが等しくなって圧力差がなくなると、コイルバネ２５の付勢力によってピストン２３が第１室２２Ａ側へ摺動し、プランジャ２４の２方弁３０のボタン３０Ａへの押圧が解除されるようになる。これにより、レバー３を操作する（握っている）時間がたとえ長くても、２方弁３０のボタン３０Ａを押圧する時間（たとえば０．５秒程度）を一定とすることができる。その後、レバー３（図１参照）の操作を解除することによって、図４（ｄ）に示すように、第１室２２Ａの気体、第１室２２Ａオリフィス２７を通した第２室２２Ｂの気体は、第２気体流路管１３、３方弁１０、第３気体流路管１４（図３参照）を通して放出され、図１（ａ）に示した状態に戻るようになる。
【００２５】
図３に戻り、ピストン機構（第１ピストン機構）２０Ａのプランジャ２４によって押圧されたボタン３０Ａは２方弁３０を動作させ、気体供給口１１からの気体は、第４気体流路管１５、２方弁３０、第５気体流路管１６を通してエアタイマー機構４０側に供給されるようになっている。
【００２６】
（エアタイマー機構）
エアタイマー機構４０は、ピストン機構（第２ピストン機構）４０Ａを有し、該ピストン機構４０Ａは、シリンダー４１と、シリンダー４１内を第１室４２Ａおよび第２室４２Ｂに画するとともに第２室４２Ｂ側に付勢されるピストン４３と、ピストン４３に連結され第２室４２Ｂを通してシリンダー４１の外方へ突出するニードル５０と、を備えて構成されている。第５気体流路管１６はピストン機構４０Ａの第２室４２Ｂに接続されるようになっている。ピストン４３の第２室４２Ｂ側への付勢は、たとえば、第１室４２Ａにおいてピストン４３とシリンダー４１との間に配置されるコイルバネ４４によってなされている。ピストン４３のシリンダー４１の内壁面との摺動部、シリンダー４１の端壁面のニードル５０との摺動部にはＯ−リング４５が取り付けられている。
【００２７】
ここで、ピストン機構４０Ａの第２室４２Ｂに接続される第５気体流路管１６には、その途中において、たとえば、径の調整可能なオリフィスを有する気体放出部６０を備えて構成されている。
【００２８】
図５は、気体放出部６０の構成の一例を示した図である。図５において、気体放出部６０は、たとえば、ニードルバルブによって構成されている。すなわち、第５気体流路管１６の壁面１６Ａにオリフィス６１が形成され、このオリフィス６１の中心軸上に配置されるニードル軸６２が備えられている。ニードル軸６２は、オリフィス６１内に位置づけられる先端がテーパ６２Ｔを有する円錐状となっており、第５気体流路管１６の外側の壁面１６Ａに形成された支持部６３に支持されるようになっている。ニードル軸６２は支持部６３に螺合されるようにして支持され、ニードル軸６２の軸周りの回転によって、軸方向（図中α方向）に微移動させることができるようになっている。ニードル軸６２の軸方向の微移動（移動調整）によって、オリフィス６１の開口部の径（開口径）を変化させることができ、該径に応じた調整量の気体の放出を、支持部６３に形成された孔６３Ｈを通してなされるようになっている。したがって、所望の状態にニードル軸６２を調節した後、ニードル軸６２を回転させなければ、同じオリフィス６１の開口部の径（開口径）の状態が保たれるので気体放出部６０から放出される気体の放出量（放出速度）は、ほぼ一定に保たれる。
【００２９】
図６（ａ）ないし（ｃ）は、エアタイマー機構４０の動作を示す動作図である。まず、ボタン３０Ａ（図３参照）が押圧されておらず２方弁３０が動作していない場合、図６（ａ）に示すように、ピストンはコイルバネ４４の付勢力によって第２室４２Ｂ側へ摺動している。このとき、ピストン４３に連結されるニードル５０は、その先端がノズル部７０（図３参照）の開口７１を閉塞する位置にある。次に、ボタン３０Ａが押圧され２方弁３０が動作した場合、図６（ｂ）に示すように、気体が第４気体流路管１５、２方弁３０、第５気体流路管１６を通してピストン機構４０Ａの第２室４２Ｂに供給される。第２室４２Ｂの気圧が第１室４２Ａの気圧より急激に大きくなることにより、コイルバネ４４の付勢力に抗しピストン４３は第１室４２Ａ側へ摺動する。これにより、ピストン４３に連結されるニードル５０は、その先端がノズル部７０（図３参照）の開口７１から離れるようになる。ボタン３０Ａが押圧され２方弁３０が動作している時間は、上述したように、たとえば０．５秒程度の一定時間であり、その後は、第２室４２Ｂへの気体の供給は停止されることになる。そして、第２室４２Ｂの気体は第５気体流路管１６の途中に設けられた気体放出部６０のオリフィス６１から放出されるようになる。これにより、第２室４２Ｂの気圧が小さくなり、コイルバネ４４の付勢力によってピストン４３が第２室４２Ｂ側へ摺動し、ピストン４３に連結されるニードル５０は、その先端がノズル部７０の開口７１を閉塞するようになる。気体放出部６０のオリフィス６１は、上述したように、その径をニードル軸６２によって調整可能となっていることから、その調整によって、ノズル部７０のニードル５０による開口の時間を所定時間に設定できるようになる。
【００３０】
なお、ニードル５０による開口の時間を、どの程度にするのかは、液状材の必要な吐出量に応じて決められるものであるから、特定の時間に限定されるものではない。使用状況に応じて、液状材を多く吐出させる必要があるときは、ニードル軸６２を調節し、エアタイマー機構４０の動作時間を長くすればよく、逆に、液状材を少なく吐出させる必要があるときは、ニードル軸６２を調節し、エアタイマー機構４０の動作時間を短くすればよい。このようにして、使用状況で求められる液状材の吐出量となるように調節する。
【００３１】
図３に戻り、エアタイマー機構４０Ａのピストン４３に連結されるニードル５０は、ノズル部７０の中心軸上に位置づけられて同軸に配置されるようになっている。ノズル部７０の中心軸上の先端には開口７１が設けられ、この開口７１は、ニードル５０の軸方向への移動によって、閉塞されたり開放されたりするようになっている。すなわち、ニードル５０はニードル弁としての機能を有するようになる。図３の場合、ニードル５０がエアタイマー機構４０Ａと反対側（図中左側）に移動することによって、ノズル部７０の開口７１が閉塞され、ニードル５０がエアタイマー機構４０Ａの側（図中右側）に移動することによって、ノズル部７０の開口７１が開放されるようになっている。ノズル部７０は、液状材が供給される空間部を形成するようになっており、ニードル５０との摺動部にはＯ−リング７２が取り付けられている。ノズル部７０への液状材の供給は、ノズル部７０の壁面の一部に設けられた液状材供給口７３を通して圧送状態でなされるようになっている。ノズル部７０の内部はニードル５０のみを内蔵する簡易な構造となっており、その内周面は凹凸の少ない滑らかな面となっている。ノズル部７０をこのような構成とすることにより、ノズル部７０の洗浄の際は、ノズル部７０の液状材供給口７３から洗浄剤（洗浄用流体）を圧送させ残留する液状材を開口７１から流出させることにより、容易に洗浄することができるようになる。
【００３２】
このように構成されたディスペンサー１によれば、上述のように、洗浄性が良く、また、レバー操作に個人差があっても、液状材の吐出量を略一定とすることができる。
さらに、ニードル５０をノズル部７０の開口７１に対して、挿脱することで開口７１の開閉が行われる構造であり、液状材が圧送で送られてきても、この圧力でニードル５０が動くことが無いので液状材の漏れを安定して防止できる。
【００３３】
（実施形態２）
実施形態１では、エアタイマー機構４０において、ノズル部７０の開口７１を閉塞させる場合に、ピストン機構４０Ａのピストン４３を第２室４２Ｂ側に付勢されるように構成することによって、ピストン４３に連結されるニードル５０の先端をノズル部７０の開口７１に当接させるようにしたものである。
しかし、ノズル部７０として、その開口７１に貫通させたニードル５０の先端の頭部によって閉塞・解放する構成（サックバック方式）のものを用いる場合には、ノズル部７０の開口７１を閉塞させる場合において、ピストン機構４０Ａのピストン４３を第１室４２Ａ側に付勢させるようにすることはいうまでもない。この場合、コイルバネを第２室４２Ｂに配置させ、第５気体流路管１６を第１室４２Ａに接続するように構成するようになる。つまり、閉塞時ニードル５０を液状材の流出方向とは逆向きに動かすことで液状材をノズル部７０の内部に引き戻し、液状材が開口７１から洩れ出ることを防止できる。
【００３４】
（実施形態３）
実施形態１では、押圧機構２０としてピストン機構（第１ピストン機構）２０Ａを有するように構成したものである。しかし、これに限定されることはなく、たとえば、電磁気を用いたプランジャの動作によって２方弁３０のボタン３０Ａを押圧するような構成とするようにしてもよいことは勿論である。但し、この場合、電源装置や制御装置といったものが必要となるので、装置としての構成が高価になるとともに、電源装置や制御装置を配置するスペースが必要であるため、構成のシンプルさで言えば、実施形態１の方が望ましい。
【００３５】
（実施形態４）
ディスペンサーのレバー３は、実施形態１に示した構成のものに限定されることはなく、たとえば、引金あるいは引金に近似する構成など、ＯＮ-ＯＦＦ操作可能なスイッチ手段であってもよいことはいうまでもない。
【００３６】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【００３７】
１                  ディスペンサー
２                  ガン本体
３                  レバー
１０                ３方弁
１１                気体供給口
１２                第１気体流路管
１３                第２気体流路管（第１流路）
１４                第３気体流路管
１５                第４気体流路管（第２流路）
１６                第５気体流路管（第２流路）
２０                押圧機構
２０Ａ              ピストン機構（第１ピストン機構）
２１                シリンダー
２２Ａ              第１室
２２Ｂ              第２室
２３                ピストン
２４                プランジャ
２５                コイルバネ
２６                Ｏ−リング
２７                オリフィス
２７Ａ              貫通孔
２７Ｂ              溝
３０                ２方弁
３０Ａ              ボタン
４０                エアタイマー機構
４０Ａ              ピストン機構（第２ピストン機構）
４１                シリンダー
４２Ａ              第１室
４２Ｂ              第２室
４３                ピストン
４４                コイルバネ
４５                Ｏ−リング
５０                ニードル
６０                気体放出部
６１                オリフィス
６２                ニードル軸
６２Ｔ              テーパ
６３                支持部
６３Ｈ              孔
７０                ノズル部
７１                開口
７２                Ｏ−リング
７３                液状材供給口
【図１】
2015102172.tif 000003
【図２】
2015102172.tif 000004
【図３】
2015102172.tif 000005
【図４】
2015102172.tif 000006
【図５】
2015102172.tif 000007
【図６】
2015102172.tif 000008